(57)【要約】      （修正有）【課題】効率的に通信を行う基地局装置、該基地局装置に用いられる通信方法を提供する。【解決手段】制御リソースセットにおいてＰＤＣＣＨをモニタする受信部を備え、制御リソースセットを構成するリソースブロックは、第１の上位層のパラメータに基づき与えられ、第１の上位層のパラメータにより示されるビットに対応するリソースブロックのセットのうち、最も低い周波数領域に対応するリソースブロックのインデックスは、制御リソースセットに関連するサブキャリア間隔の設定μに対するリソースグリッドの基準点を示す第２の上位層のパラメータに基づき与えられる。【選択図】図９
2020025182.tif 000002
【特許請求の範囲】
【請求項１】
制御リソースセットにおいてＰＤＣＣＨをモニタする受信部を備え、
前記制御リソースセットを構成するリソースブロックは、第１の上位層のパラメータに基づき与えられ、
前記第１の上位層のパラメータにより示されるビットに対応するリソースブロックのセットのうち、最も低い周波数領域に対応するリソースブロックのインデックスは、前記制御リソースセットに関連するサブキャリア間隔の設定μに対するリソースグリッドの基準点を示す第２の上位層のパラメータに基づき与えられる
端末装置。
【請求項２】
制御リソースセットにおいてＰＤＣＣＨを送信する送信部を備え、
前記制御リソースセットを構成するリソースブロックは、第１の上位層のパラメータに基づき与えられ、
前記第１の上位層のパラメータにより示されるビットに対応するリソースブロックのセットのうち、最も低い周波数領域に対応するリソースブロックのインデックスは、前記制御リソースセットに関連するサブキャリア間隔の設定μに対するリソースグリッドの基準点を示す第２の上位層のパラメータに基づき与えられる
基地局装置。
【請求項３】
端末装置に用いられる通信方法であって、
制御リソースセットにおいてＰＤＣＣＨをモニタするステップを備え、
前記制御リソースセットを構成するリソースブロックは、第１の上位層のパラメータに基づき与えられ、
前記第１の上位層のパラメータにより示されるビットに対応するリソースブロックのセットのうち、最も低い周波数領域に対応するリソースブロックのインデックスは、前記制御リソースセットに関連するサブキャリア間隔の設定μに対するリソースグリッドの基準点を示す第２の上位層のパラメータに基づき与えられる
通信方法。
【請求項４】
基地局装置に用いられる通信方法であって、
制御リソースセットにおいてＰＤＣＣＨを送信するステップを備え、
前記制御リソースセットを構成するリソースブロックは、第１の上位層のパラメータに基づき与えられ、
前記第１の上位層のパラメータにより示されるビットに対応するリソースブロックのセットのうち、最も低い周波数領域に対応するリソースブロックのインデックスは、前記制御リソースセットに関連するサブキャリア間隔の設定μに対するリソースグリッドの基準点を示す第２の上位層のパラメータに基づき与えられる
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「ＥＵＴＲＡ：Ｅｖｏｌｖｅｄ  Ｕｎｉｖｅｒｓａｌ  Ｔ
ｅｒｒｅｓｔｒｉａｌ  Ｒａｄｉｏ  Ａｃｃｅｓｓ」と称する。）が、第三世代パートナーシッププロジェクト（3GPP:3rd Generation Partnership Project）において検討され
ている。ＬＴＥにおいて、基地局装置はｅＮｏｄｅＢ（evolved NodeB）、端末装置はＵ
Ｅ（User Equipment）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ITU:International Telecommunication Union）が
策定する次世代移動通信システムの規格であるＩＭＴ（International Mobile Telecommunication）―２０２０に提案するため、次世代規格（NR: New Radio）の検討が行われて
いる（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満た
すことが求められている。
【先行技術文献】
【非特許文献】
【０００４】
【非特許文献１】"New SID proposal: Study on New Radio Access Technology"， RP-160671， NTT docomo， 3GPP TSG RAN Meeting #71，Goteborg， Sweden， 7th ― 10th March， 2016．
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、制御リソースセットにおいてＰＤＣＣＨをモニタする受信部を備え、前記制御リソースセットを構成するリソースブロックは、第１の上位層のパラメータに基づき与えられ、前記第１の上位層のパラメータにより示されるビットに対応するリソースブロックのセットのうち、最も低い周波数領域に対応するリソースブロックのインデックスは、前記制御リソースセットに関連するサブキャリア間隔の設定μに対するリソースグリッドの基準点を示す第２の上位層のパラメータに基づき与えられる。
【０００７】
（２）本発明の第２の態様は、基地局装置であって、制御リソースセットにおいてＰＤＣＣＨを送信する送信部を備え、前記制御リソースセットを構成するリソースブロックは、第１の上位層のパラメータに基づき与えられ、前記第１の上位層のパラメータにより示されるビットに対応するリソースブロックのセットのうち、最も低い周波数領域に対応するリソースブロックのインデックスは、前記制御リソースセットに関連するサブキャリア間隔の設定μに対するリソースグリッドの基準点を示す第２の上位層のパラメータに基づ
き与えられる。
【０００８】
（３）本発明の第３の態様は、端末装置に用いられる通信方法であって、制御リソースセットにおいてＰＤＣＣＨをモニタするステップを備え、前記制御リソースセットを構成するリソースブロックは、第１の上位層のパラメータに基づき与えられ、前記第１の上位層のパラメータにより示されるビットに対応するリソースブロックのセットのうち、最も低い周波数領域に対応するリソースブロックのインデックスは、前記制御リソースセットに関連するサブキャリア間隔の設定μに対するリソースグリッドの基準点を示す第２の上位層のパラメータに基づき与えられる。
【０００９】
（４）本発明の第４の態様は、基地局装置に用いられる通信方法であって、制御リソースセットにおいてＰＤＣＣＨを送信するステップを備え、前記制御リソースセットを構成するリソースブロックは、第１の上位層のパラメータに基づき与えられ、前記第１の上位層のパラメータにより示されるビットに対応するリソースブロックのセットのうち、最も低い周波数領域に対応するリソースブロックのインデックスは、前記制御リソースセットに関連するサブキャリア間隔の設定μに対するリソースグリッドの基準点を示す第２の上位層のパラメータに基づき与えられる。
【発明の効果】
【００１０】
この発明によれば、端末装置は効率的に通信を行うことができる。また、基地局装置は効率的に通信を行うことができる。
【図面の簡単な説明】
【００１１】
【図１】本実施形態の一態様に係る無線通信システムの概念図である。
【図２】本実施形態の一態様に係るＮｓｌｏｔｓｙｍｂ、サブキャリア間隔の設定μ、および、ＣＰ設定の関係を示す一例である。
【図３】本実施形態の一態様に係るサブフレームにおけるリソースグリッドの一例を示す概略図である。
【図４】本実施形態の一態様に係るＰＵＣＣＨフォーマットとＰＵＣＣＨフォーマットの長さＮＰＵＣＣＨｓｙｍｂの関係の一例を示す図である。
【図５】本実施形態の一態様に係る端末装置１の構成を示す概略ブロック図である。
【図６】本実施形態の一態様に係る基地局装置３の構成を示す概略ブロック図である。
【図７】本実施形態の一態様に係る基地局装置３と端末装置１の通信の一例を示す図である。
【図８】本実施形態の一態様に係るＰＤＣＣＨ８００１に関連するＤＭＲＳのマッピングの一例を示す図である。
【図９】本実施形態の一態様に係る制御リソースセットのリソース割り当て方法の一例を示す図である。
【発明を実施するための形態】
【００１２】
以下、本発明の実施形態について説明する。
【００１３】
本明細書に添付される図面において、ＸＸＸ＃Ｙと表現される用語は、インデックスＹのＸＸＸと解釈されてもよい。
【００１４】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１５】
基地局装置３は、ＭＣＧ（Master Cell Group）、および、ＳＣＧ（Secondary Cell Group）の一方または両方を含んで構成されてもよい。ＭＣＧは、少なくともＰＣｅｌｌ（Primary Cell）を含んで構成されるサービングセルのグループである。ＳＣＧは、少なく
ともＰＳＣｅｌｌ（Primary Secondary Cell）を含んで構成されるサービングセルのグループである。ＰＣｅｌｌは、初期接続に基づき与えられるサービングセルであってもよい。ＭＣＧは、１または複数のＳＣｅｌｌ（Secondary Cell）を含んで構成されてもよい。ＳＣＧは、１または複数のＳＣｅｌｌを含んで構成されてもよい。
【００１６】
ＭＣＧは、ＥＵＴＲＡ上のサービングセルで構成されてもよい。ＳＣＧは、次世代規格（NR: New Radio）上のサービングセルで構成されてもよい。
【００１７】
以下、フレーム構成について説明する。
【００１８】
本実施形態の一態様に係る無線通信システムにおいて、ＯＦＤＭ（Orthogonal Frequency Division Multiplex）が少なくとも用いられる。ＯＦＤＭシンボルは、ＯＦＤＭの時
間領域の単位である。ＯＦＤＭシンボルは、少なくとも１または複数のサブキャリア（subcarrier）を含む。ＯＦＤＭシンボルは、ベースバンド信号生成において時間連続信号（time―continuous signal）に変換される。下りリンクにおいて、ＣＰ−ＯＦＤＭ（Cyclic Prefix ― Orthogonal Frequency Division Multiplex）が少なくとも用いられる。上
りリンクにおいて、ＣＰ−ＯＦＤＭ、または、ＤＦＴ−ｓ−ＯＦＤＭ（Discrete Fourier
Transform ― spread ― Orthogonal Frequency Division Multiplex）のいずれかが用
いられる。ＤＦＴ−ｓ−ＯＦＤＭは、ＣＰ−ＯＦＤＭに対して変形プレコーディング（Transform precoding）が適用されることで与えられてもよい。
【００１９】
サブキャリア間隔（SCS: SubCarrier Spacing）は、サブキャリア間隔Δｆ＝２μ・１
５ｋＨｚによって与えられてもよい。例えば、サブキャリア間隔の設定（subcarrier spacing configuration）μは０、１、２、３、４、および／または、５のいずれかに設定されてもよい。あるＢＷＰ（BandWidth Part）のために、サブキャリア間隔の設定μが上位層のパラメータにより与えられてもよい。
【００２０】
本実施形態の一態様に係る無線通信システムにおいて、時間領域の長さの表現のために時間単位（タイムユニット）Ｔｃが用いられる。時間単位Ｔｃは、Ｔｃ＝１／（Δｆｍａｘ・Ｎｆ）で与えられてもよい。Δｆｍａｘは、本実施形態の一態様に係る無線通信システムにおいてサポートされるサブキャリア間隔の最大値であってもよい。Δｆｍａｘは、Δｆｍａｘ＝４８０ｋＨｚであってもよい。Ｎｆは、Ｎｆ＝４０９６であってもよい。定数κは、κ＝Δｆｍａｘ・Ｎｆ／（ΔｆｒｅｆＮｆ，ｒｅｆ）＝６４である。Δｆｒｅｆは、１５ｋＨｚであってもよい。Ｎｆ，ｒｅｆは、２０４８であってもよい。
【００２１】
定数κは、参照サブキャリア間隔とＴｃの関係を示す値であってもよい。定数κはサブフレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００２２】
下りリンクにおける信号の送信、および／または、上りリンクにおける信号の送信は、１０ｍｓのフレームにより構成される。フレームは、１０個のサブフレームを含んで構成される。サブフレームの長さは１ｍｓである。フレームの長さは、サブキャリア間隔Δｆに関わらず与えられてもよい。つまり、フレームの設定はμに関わらず与えられてもよい。サブフレームの長さは、サブキャリア間隔Δｆに関わらず与えられてもよい。つまり、サブフレームの設定はμに関わらず与えられてもよい。
【００２３】
あるサブキャリア間隔の設定μのために、サブフレームに含まれるスロットの数とインデックスが与えられてもよい。例えば、スロット番号ｎμｓは、サブフレームにおいて０からＮｓｕｂｆｒａｍｅ，μｓｌｏｔ−１の範囲で昇順に与えられてもよい。サブキャリア間隔の設定μのために、フレームに含まれるスロットの数とインデックスが与えられてもよい。また、スロット番号ｎμｓ，ｆは、フレームにおいて０からＮｆｒａｍｅ，μｓｌｏｔ−１の範囲で昇順に与えられてもよい。連続するＮｓｌｏｔｓｙｍｂ個のＯＦＤＭシンボルが１つのスロットに含まれてもよい。Ｎｓｌｏｔｓｙｍｂは、および／または、ＣＰ（Cyclic Prefix）設定の一部または全部に少なくとも基づき与えられてもよい。Ｃ
Ｐ設定は、上位層のパラメータに少なくとも基づき与えられてもよい。ＣＰ設定は、専用ＲＲＣシグナリングに少なくとも基づき与えられてもよい。スロット番号は、スロットインデックスとも呼称される。
【００２４】
図２は、本実施形態の一態様に係るＮｓｌｏｔｓｙｍｂ、サブキャリア間隔の設定μ、および、ＣＰ設定の関係を示す一例である。図２Ａにおいて、例えば、サブキャリア間隔の設定μが２であり、ＣＰ設定がノーマルＣＰ（normal cyclic prefix）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、例えば、サブキャリア間隔の設定μが２であり、ＣＰ設定が拡張ＣＰ（extended cyclic prefix）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。
【００２５】
以下、物理リソースについて説明を行う。
【００２６】
アンテナポートは、１つのアンテナポートにおいてシンボルが伝達されるチャネルが、同一のアンテナポートにおいてその他のシンボルが伝達されるチャネルから推定できることによって定義される。１つのアンテナポートにおいてシンボルが伝達されるチャネルの大規模特性（large scale property）が、もう一つのアンテナポートにおいてシンボルが伝達されるチャネルから推定できる場合、２つのアンテナポートはＱＣＬ（Quasi Co-Located）であると呼称される。大規模特性は、チャネルの長区間特性を少なくとも含んでもよい。大規模特性は、遅延拡がり（delay spread）、ドップラー拡がり（Doppler spread）、ドップラーシフト（Doppler shift）、平均利得（average gain）、平均遅延（average delay）、および、ビームパラメータ（spatial Rx parameters）の一部または全部を
少なくとも含んでもよい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることが想定されてもよい。２つのアンテナポートがＱＣＬであることは、２つのアンテナポートがＱＣＬであることが想定されることであってもよい。
【００２７】
サブキャリア間隔の設定とキャリアのセットのために、Ｎｓｉｚｅ，μｇｒｉｄ，ｘＮＲＢｓｃ個のサブキャリアとＮｓｕｂｆｒａｍｅ，μｓｙｍｂ個のＯＦＤＭシンボルで定義されるリソースグリッドが与えられる。Ｎｓｉｚｅ，μｇｒｉｄ，ｘは、キャリアｘのためのサブキャリア間隔の設定μのために与えられるリソースブロック数を示してもよい。Ｎｓｉｚｅ，μｇｒｉｄ，ｘは、キャリアの帯域幅を示してもよい。Ｎｓｉｚｅ，μｇｒｉｄ，ｘは、上位層のパラメータＣａｒｒｉｅｒＢａｎｄｗｉｄｔｈの値に対応してもよい。キャリアｘは下りリンクキャリアまたは上りリンクキャリアのいずれかを示しても
よい。つまり、ｘは“ＤＬ”、または、“ＵＬ”のいずれかであってもよい。ＮＲＢｓｃは、１つのリソースブロックに含まれるサブキャリア数を示してもよい。ＮＲＢｓｃは１２であってもよい。アンテナポートｐごとに、および／または、サブキャリア間隔の設定μごとに、および／または、送信方向（Transmission direction）の設定ごとに少なくとも１つのリソースグリッドが与えられてもよい。送信方向は、少なくとも下りリンク（DL: DownLink）および上りリンク（UL: UpLink）を含む。以下、アンテナポートｐ、サブキャリア間隔の設定μ、および、送信方向の設定の一部または全部を少なくとも含むパラメータのセットは、第１の無線パラメータセットとも呼称される。つまり、リソースグリッドは、第１の無線パラメータセットごとに１つ与えられてもよい。
【００２８】
下りリンクにおいて、サービングセルに含まれるキャリアを下りリンクキャリア（または、下りリンクコンポーネントキャリア）と称する。上りリンクにおいて、サービングセルに含まれるキャリアを上りリンクキャリア（上りリンクコンポーネントキャリア）と称する。下りリンクコンポーネントキャリア、および、上りリンクコンポーネントキャリアを総称して、コンポーネントキャリア（または、キャリア）と称する。
【００２９】
サービングセルのタイプは、ＰＣｅｌｌ、ＰＳＣｅｌｌ、および、ＳＣｅｌｌのいずれかであってもよい。ＰＣｅｌｌは、初期接続においてＳＳ／ＰＢＣＨから取得されるセルＩＤに少なくとも基づき識別されるサービングセルであってもよい。ＳＣｅｌｌは、キャリアアグリゲーションにおいて用いられるサービングセルであってもよい。ＳＣｅｌｌは、専用ＲＲＣシグナリングに少なくとも基づき与えられるサービングセルであってもよい。
【００３０】
第１の無線パラメータセットごとに与えられるリソースグリッドの中の各要素は、リソースエレメントと呼称される。リソースエレメントは周波数領域のインデックスｋｓｃと、時間領域のインデックスｌｓｙｍにより特定される。ある第１の無線パラメータセットのために、リソースエレメントは周波数領域のインデックスｋｓｃと、時間領域のインデックスｌｓｙｍにより特定される。周波数領域のインデックスｋｓｃと時間領域のインデックスｌｓｙｍにより特定されるリソースエレメントは、リソースエレメント（ｋｓｃ、ｌｓｙｍ）とも呼称される。周波数領域のインデックスｋｓｃは、０からＮμＲＢＮＲＢｓｃ−１のいずれかの値を示す。ＮμＲＢはサブキャリア間隔の設定μのために与えられるリソースブロック数であってもよい。ＮμＲＢは、Ｎｓｉｚｅ，μｇｒｉｄ，ｘであってもよい。ＮＲＢｓｃは、リソースブロックに含まれるサブキャリア数であり、ＮＲＢｓｃ＝１２である。周波数領域のインデックスｋｓｃは、サブキャリアインデックスｋｓｃに対応してもよい。時間領域のインデックスｌｓｙｍは、ＯＦＤＭシンボルインデックスｌｓｙｍに対応してもよい。
【００３１】
図３は、本実施形態の一態様に係るサブフレームにおけるリソースグリッドの一例を示す概略図である。図３のリソースグリッドにおいて、横軸は時間領域のインデックスｌｓｙｍであり、縦軸は周波数領域のインデックスｋｓｃである。１つのサブフレームにおいて、リソースグリッドの周波数領域はＮμＲＢＮＲＢｓｃ個のサブキャリアを含む。１つのサブフレームにおいて、リソースグリッドの時間領域は１４・２μ個のＯＦＤＭシンボルを含んでもよい。１つのリソースブロックは、ＮＲＢｓｃ個のサブキャリアを含んで構成される。リソースブロックの時間領域は、１ＯＦＤＭシンボルに対応してもよい。リソースブロックの時間領域は、１４ＯＦＤＭシンボルに対応してもよい。リソースブロックの時間領域は、１または複数のスロットに対応してもよい。リソースブロックの時間領域は、１つのサブフレームに対応してもよい。
【００３２】
端末装置１は、リソースグリッドのサブセットのみを用いて送受信を行うことが指示されてもよい。リソースグリッドのサブセットは、ＢＷＰとも呼称され、ＢＷＰは上位層の
パラメータ、および／または、ＤＣＩの一部または全部に少なくとも基づき与えられてもよい。ＢＷＰをキャリアバンドパート（Carrier Bandwidth Part）とも称する。端末装置１は、リソースグリッドのすべてのセットを用いて送受信を行なうことが指示されなくてもよい。端末装置１は、リソースグリッド内の一部の周波数リソースを用いて送受信を行なうことが指示されてもよい。１つのＢＷＰは、周波数領域における複数のリソースブロックから構成されてもよい。１つのＢＷＰは、周波数領域において連続する複数のリソースブロックから構成されてもよい。下りリンクキャリアに対して設定されるＢＷＰは、下りリンクＢＷＰとも呼称される。上りリンクキャリアに対して設定されるＢＷＰは、上りリンクＢＷＰとも呼称される。ＢＷＰは、キャリアの帯域のサブセットであってもよい。
【００３３】
サービングセルのそれぞれに対して１または複数の下りリンクＢＷＰが設定されてもよい。サービングセルのそれぞれに対して１または複数の上りリンクＢＷＰが設定されてもよい。
【００３４】
サービングセルに対して設定される１または複数の下りリンクＢＷＰのうち、１つの下りリンクＢＷＰがアクティブ下りリンクＢＷＰに設定されてもよい。下りリンクのＢＷＰスイッチは、１つのアクティブ下りリンクＢＷＰをディアクティベート（deactivate）し、該１つのアクティブ下りリンクＢＷＰ以外のインアクティブ下りリンクＢＷＰをアクティベート（activate）するために用いられる。下りリンクのＢＷＰスイッチは、下りリンク制御情報に含まれるＢＷＰフィールドにより制御されてもよい。下りリンクのＢＷＰスイッチは、上位層のパラメータに基づき制御されてもよい。
【００３５】
アクティブ下りリンクＢＷＰにおいて、ＤＬ−ＳＣＨが受信されてもよい。アクティブ下りリンクＢＷＰにおいて、ＰＤＣＣＨがモニタされてもよい。アクティブ下りリンクＢＷＰにおいて、ＰＤＳＣＨが受信されてもよい。
【００３６】
インアクティブ下りリンクＢＷＰにおいて、ＤＬ−ＳＣＨが受信されない。インアクティブ下りリンクＢＷＰにおいて、ＰＤＣＣＨがモニタされない。インアクティブ下りリンクＢＷＰのためのＣＳＩは報告されない。
【００３７】
サービングセルに対して設定される１または複数の下りリンクＢＷＰのうち、２つ以上の下りリンクＢＷＰがアクティブ下りリンクＢＷＰに設定されなくてもよい。
【００３８】
サービングセルに対して設定される１または複数の上りリンクＢＷＰのうち、１つの上りリンクＢＷＰがアクティブ上りリンクＢＷＰに設定されてもよい。上りリンクのＢＷＰスイッチは、１つのアクティブ上りリンクＢＷＰをディアクティベート（deactivate）し、該１つのアクティブ上りリンクＢＷＰ以外のインアクティブ上りリンクＢＷＰをアクティベート（activate）するために用いられる。上りリンクのＢＷＰスイッチは、下りリンク制御情報に含まれるＢＷＰフィールドにより制御されてもよい。上りリンクのＢＷＰスイッチは、上位層のパラメータに基づき制御されてもよい。
【００３９】
アクティブ上りリンクＢＷＰにおいて、ＵＬ−ＳＣＨが送信されてもよい。アクティブ上りリンクＢＷＰにおいて、ＰＵＣＣＨが送信されてもよい。アクティブ上りリンクＢＷＰにおいて、ＰＲＡＣＨが送信されてもよい。アクティブ上りリンクＢＷＰにおいて、ＳＲＳが送信されてもよい。
【００４０】
インアクティブ上りリンクＢＷＰにおいて、ＵＬ−ＳＣＨが送信されない。インアクティブ上りリンクＢＷＰにおいて、ＰＵＣＣＨが送信されない。インアクティブ上りリンクＢＷＰにおいて、ＰＲＡＣＨが送信されない。インアクティブ上りリンクＢＷＰにおいて、ＳＲＳが送信されない。
【００４１】
サービングセルに対して設定される１または複数の上りリンクＢＷＰのうち、２つ以上の上りリンクＢＷＰがアクティブ上りリンクＢＷＰに設定されなくてもよい。
【００４２】
上位層のパラメータは、上位層の信号に含まれるパラメータである。上位層の信号は、ＲＲＣ（Radio Resource Control）シグナリングであってもよいし、ＭＡＣ  ＣＥ（Medium Access Control Control Element）であってもよい。ここで、上位層の信号は、ＲＲ
Ｃ層の信号であってもよいし、ＭＡＣ層の信号であってもよい。
【００４３】
上位層の信号は、共通ＲＲＣシグナリング（common RRC signaling）であってもよい。共通ＲＲＣシグナリングは、以下の特徴Ｃ１から特徴Ｃ３の一部または全部を少なくとも備えてもよい。
特徴Ｃ１）ＢＣＣＨロジカルチャネル、または、ＣＣＣＨロジカルチャネルにマップされる
特徴Ｃ２）ＲｅｃｏｎｆｉｇｒａｔｉｏｎＷｉｔｈＳｙｎｃ情報要素を少なくとも含む
特徴Ｃ３）ＰＢＣＨにマップされる
【００４４】
ＲｅｃｏｎｆｉｇｒａｔｉｏｎＷｉｔｈＳｙｎｃ情報要素は、サービングセルにおいて共通に用いられる設定を示す情報を含んでもよい。サービングセルにおいて共通に用いられる設定は、ＰＲＡＣＨの設定を少なくとも含んでもよい。該ＰＲＡＣＨの設定は、１または複数のランダムアクセスプリアンブルインデックスを少なくとも示してもよい。該ＰＲＡＣＨの設定は、ＰＲＡＣＨの時間／周波数リソースを少なくとも示してもよい。
【００４５】
共通ＲＲＣシグナリングは、共通ＲＲＣパラメータを少なくとも含んでもよい。共通ＲＲＣパラメータは、サービングセル内において共通に用いられる（Cell-specific）パラ
メータであってもよい。
【００４６】
上位層の信号は、専用ＲＲＣシグナリング（dedicated RRC signaling）であってもよ
い。専用ＲＲＣシグナリングは、以下の特徴Ｄ１からＤ２の一部または全部を少なくとも備えてもよい。
特徴Ｄ１）ＤＣＣＨロジカルチャネルにマップされる
特徴Ｄ２）ＲｅｃｏｎｆｉｇｒａｔｉｏｎＷｉｔｈＳｙｎｃ情報要素を含まない
【００４７】
例えば、ＭＩＢ（Master Information Block）、および、ＳＩＢ（System Information
Block）は共通ＲＲＣシグナリングに含まれてもよい。また、ＤＣＣＨロジカルチャネルにマップされ、かつ、ＲｅｃｏｎｆｉｇｒａｔｉｏｎＷｉｔｈＳｙｎｃ情報要素を少なくとも含む上位層のメッセージは、共通ＲＲＣシグナリングに含まれてもよい。また、ＤＣＣＨロジカルチャネルにマップされ、かつ、ＲｅｃｏｎｆｉｇｒａｔｉｏｎＷｉｔｈＳｙｎｃ情報要素を含まない上位層のメッセージは、専用ＲＲＣシグナリングに含まれてもよい。
【００４８】
ＳＩＢは、ＳＳ（Synchronization Signal）ブロックの時間インデックスを少なくとも示してもよい。ＳＳブロック（SS block）は、ＳＳ／ＰＢＣＨブロック（SS/PBCH block
）とも呼称される。ＳＩＢは、ＰＲＡＣＨリソースに関連する情報を少なくとも含んでもよい。ＳＩＢは、初期接続の設定に関連する情報を少なくとも含んでもよい。
【００４９】
ＲｅｃｏｎｆｉｇｒａｔｉｏｎＷｉｔｈＳｙｎｃ情報要素は、ＰＲＡＣＨリソースに関連する情報を少なくとも含んでもよい。ＲｅｃｏｎｆｉｇｒａｔｉｏｎＷｉｔｈＳｙｎｃ情報要素は、初期接続の設定に関連する情報を少なくとも含んでもよい。
【００５０】
専用ＲＲＣシグナリングは、専用ＲＲＣパラメータを少なくとも含んでもよい。専用ＲＲＣパラメータは、端末装置１に専用に用いられる（UE-specific）パラメータであって
もよい。専用ＲＲＣシグナリングは、共通ＲＲＣパラメータを少なくとも含んでもよい。
【００５１】
共通ＲＲＣパラメータおよび専用ＲＲＣパラメータは、上位層のパラメータとも呼称される。
【００５２】
以下、本実施形態の種々の態様に係る物理チャネルおよび物理シグナルを説明する。
【００５３】
上りリンク物理チャネルは、上位層において発生する情報を運ぶリソースエレメントのセットに対応してもよい。上りリンク物理チャネルは、上りリンクキャリアにおいて用いられる物理チャネルである。本実施形態の一態様に係る無線通信システムにおいて、少なくとも下記の一部または全部の上りリンク物理チャネルが用いられる。
・ＰＵＣＣＨ（Physical Uplink Control CHannel）
・ＰＵＳＣＨ（Physical Uplink Shared CHannel）
・ＰＲＡＣＨ（Physical Random Access CHannel）
【００５４】
ＰＵＣＣＨは、上りリンク制御情報（UCI:Uplink Control Information）を送信するために用いられてもよい。上りリンク制御情報は、チャネル状態情報（CSI:Channel State Information）、スケジューリングリクエスト（SR:Scheduling Request）、トランスポートブロック（TB:Transport block， MAC PDU:Medium Access Control Protocol Data Unit， DL-SCH:Downlink-Shared Channel， PDSCH:Physical Downlink Shared Channel）に
対応するＨＡＲＱ−ＡＣＫ（Hybrid Automatic Repeat request ACKnowledgement）情報
の一部または全部を含む。
【００５５】
ＰＵＣＣＨに上りリンク制御情報が多重されてもよい。該多重されたＰＵＣＣＨは送信されてもよい。
【００５６】
ＨＡＲＱ−ＡＣＫ情報は、トランスポートブロックに対応するＨＡＲＱ−ＡＣＫビットを少なくとも含んでもよい。ＨＡＲＱ−ＡＣＫビットは、トランスポートブロックに対応するＡＣＫ（acknowledgement）またはＮＡＣＫ（negative-acknowledgement）を示して
もよい。ＡＣＫは、該トランスポートブロックの復号が成功裏に完了していることを示す値であってもよい。ＮＡＣＫは、該トランスポートブロックの復号が成功裏に完了していないことを示す値であってもよい。ＨＡＲＱ−ＡＣＫ情報は、１または複数のＨＡＲＱ−ＡＣＫビットを含むＨＡＲＱ−ＡＣＫコードブックを少なくとも１つ含んでもよい。ＨＡＲＱ−ＡＣＫビットが１または複数のトランスポートブロックに対応することは、ＨＡＲＱ−ＡＣＫビットが該１または複数のトランスポートブロックを含むＰＤＳＣＨに対応することであってもよい。
【００５７】
ＨＡＲＱ−ＡＣＫビットは、トランスポートブロックに含まれる１つのＣＢＧ（Code Block Group）に対応するＡＣＫまたはＮＡＣＫを示してもよい。ＨＡＲＱ−ＡＣＫは、ＨＡＲＱフィードバック、ＨＡＲＱ情報、ＨＡＲＱ制御情報とも呼称される。
【００５８】
スケジューリングリクエスト（SR: Scheduling Request）は、初期送信のためのＰＵＳＣＨのリソースを要求するために少なくとも用いられてもよい。スケジューリングリクエストビットは、正のＳＲ（positive SR）または、負のＳＲ（negative SR）のいずれかを示すために用いられてもよい。スケジューリングリクエストビットが正のＳＲを示すことは、“正のＳＲが送信される”とも呼称される。正のＳＲは、端末装置１によって初期送信のためのＰＵＳＣＨのリソースが要求されることを示してもよい。正のＳＲは、上位層によりスケジューリングリクエストがトリガされることを示してもよい。正のＳＲは、上
位層によりスケジューリングリクエストを送信することが指示された場合に、送信されてもよい。スケジューリングリクエストビットが負のＳＲを示すことは、“負のＳＲが送信される”とも呼称される。負のＳＲは、端末装置１によって初期送信のためのＰＵＳＣＨのリソースが要求されないことを示してもよい。負のＳＲは、上位層によりスケジューリングリクエストがトリガされないことを示してもよい。負のＳＲは、上位層によりスケジューリングリクエストを送信することが指示されない場合に、送信されてもよい。
【００５９】
スケジューリングリクエストビットは、１または複数のＳＲ設定（SR configuration）のいずれかに対する正のＳＲ、または、負のＳＲのいずれかを示すために用いられてもよい。該１または複数のＳＲ設定のそれぞれは、１または複数のロジカルチャネルに対応してもよい。あるＳＲ設定に対する正のＳＲは、該あるＳＲ設定に対応する１または複数のロジカルチャネルのいずれかまたは全部に対する正のＳＲであってもよい。負のＳＲは、特定のＳＲ設定に対応しなくてもよい。負のＳＲが示されることは、全てのＳＲ設定に対して負のＳＲが示されることであってもよい。
【００６０】
ＳＲ設定は、スケジューリングリクエストＩＤ（Scheduling Request ID）であっても
よい。スケジューリングリクエストＩＤは、上位層のパラメータにより与えられてもよい。
【００６１】
チャネル状態情報は、チャネル品質指標（CQI: Channel Quality Indicator）、プレコーダ行列指標（PMI:Precoder Matrix Indicator）、および、ランク指標（RI: Rank Indicator）の一部または全部を少なくとも含んでもよい。ＣＱＩは、チャネルの品質（例え
ば、伝搬強度）に関連する指標であり、ＰＭＩは、プレコーダを指示する指標である。ＲＩは、送信ランク（または、送信レイヤ数）を指示する指標である。
【００６２】
チャネル状態情報は、チャネル測定のために少なくとも用いられる物理信号（例えば、ＣＳＩ−ＲＳ）を受信することに少なくとも基づき与えられてもよい。チャネル状態情報は、端末装置１によって選択される値が含まれてもよい。チャネル状態情報は、チャネル測定のために少なくとも用いられる物理信号を受信することに少なくとも基づき、端末装置１によって選択されてもよい。チャネル測定は、干渉測定を含む。
【００６３】
チャネル状態情報報告は、チャネル状態情報の報告である。チャネル状態情報報告は、ＣＳＩパート１、および／または、ＣＳＩパート２を含んでもよい。ＣＳＩパート１は、広帯域チャネル品質情報（wideband CQI）、広帯域プレコーダ行列指標（wideband PMI）、ランク指標の一部または全部を少なくとも含んで構成されてもよい。ＰＵＣＣＨに多重されるＣＳＩパート１のビット数は、チャネル状態情報報告のランク指標の値に関わらず所定の値であってもよい。ＰＵＣＣＨに多重されるＣＳＩパート２のビット数は、チャネル状態情報報告のランク指標の値に基づき与えられてもよい。チャネル状態情報報告のランク指標は、該チャネル状態情報報告の算出のために用いられるランク指標の値であってもよい。チャネル状態情報のランク指標は、該チャネル状態情報報告に含まれるランク指標フィールドにより示される値であってもよい。
【００６４】
チャネル状態情報報告において許可されるランク指標のセットは、１から８の一部または全部であってもよい。チャネル状態情報報告において許可されるランク指標のセットは、上位層のパラメータＲａｎｋＲｅｓｔｒｉｃｔｉｏｎに少なくとも基づき与えられてもよい。チャネル状態情報報告において許可されるランク指標のセットが１つの値のみを含む場合、該チャネル状態情報報告のランク指標は該１つの値であってもよい。
【００６５】
チャネル状態情報報告に対して、優先度が設定されてもよい。チャネル状態情報報告の優先度は、該チャネル状態情報報告の時間領域のふるまいに関する設定、該チャネル状態
情報報告のコンテンツのタイプ、該チャネル状態情報報告のインデックス、および／または、該チャネル状態情報報告の測定が設定されるサービングセルのインデックスの一部または全部に少なくとも基づき与えられてもよい。
【００６６】
チャネル状態情報報告の時間領域のふるまいに関する設定は、該チャネル状態情報報告が非周期的に（aperiodic）行われるか、該チャネル状態情報報告が半永続的に（semi-persistent）行われるか、または、準静的に行われるか、のいずれかを示す設定であってもよい。
【００６７】
チャネル状態情報報告のコンテンツのタイプは、該チャネル状態情報報告がレイヤ１のＲＳＲＰ（Reference Signals Received Power）を含むか否かを示してもよい。
【００６８】
チャネル状態情報報告のインデックスは、上位層のパラメータにより与えられてもよい。
【００６９】
ＰＵＣＣＨは、ＰＵＣＣＨフォーマット（ＰＵＣＣＨフォーマット０からＰＵＣＣＨフォーマット４）をサポートする。ＰＵＣＣＨフォーマットは、ＰＵＣＣＨで送信されてもよい。ＰＵＣＣＨフォーマットが送信されることは、ＰＵＣＣＨが送信されることであってもよい。
【００７０】
図４は、本実施形態の一態様に係るＰＵＣＣＨフォーマットとＰＵＣＣＨフォーマットの長さＮＰＵＣＣＨｓｙｍｂの関係の一例を示す図である。ＰＵＣＣＨフォーマット０の長さＮＰＵＣＣＨｓｙｍｂは、１または２ＯＦＤＭシンボルである。ＰＵＣＣＨフォーマット１の長さＮＰＵＣＣＨｓｙｍｂは、４から１４ＯＦＤＭシンボルのいずれかである。ＰＵＣＣＨフォーマット２の長さＮＰＵＣＣＨｓｙｍｂは、１または２ＯＦＤＭシンボルである。ＰＵＣＣＨフォーマット３の長さＮＰＵＣＣＨｓｙｍｂは、４から１４ＯＦＤＭシンボルのいずれかである。ＰＵＣＣＨフォーマット４の長さＮＰＵＣＣＨｓｙｍｂは、４から１４ＯＦＤＭシンボルのいずれかである。
【００７１】
ＰＵＳＣＨは、トランスポートブロック（TB， MAC PDU， UL-SCH）を送信するために
少なくとも用いられる。ＰＵＳＣＨは、トランスポートブロック、ＨＡＲＱ−ＡＣＫ情報、チャネル状態情報、および、スケジューリングリクエストの一部または全部を少なくとも送信するために用いられてもよい。ＰＵＳＣＨは、ランダムアクセスメッセージ３を送信するために少なくとも用いられる。
【００７２】
ＰＲＡＣＨは、ランダムアクセスプリアンブル（ランダムアクセスメッセージ１）を送信するために少なくとも用いられる。ＰＲＡＣＨは、初期コネクション確立（initial connection establishment）プロシージャ、ハンドオーバプロシージャ、コネクション再確立（connection re-establishment）プロシージャ、ＰＵＳＣＨの送信に対する同期（タ
イミング調整）、およびＰＵＳＣＨのためのリソースの要求の一部または全部を示すために少なくとも用いられてもよい。ランダムアクセスプリアンブルは、端末装置１の上位層より与えられるインデックス（ランダムアクセスプリアンブルインデックス）を基地局装置３に通知するために用いられてもよい。
【００７３】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成されてもよい。１つのサービングセル（serving cell）において、複数のランダムアクセスプリアンブルが定義されてもよい。ランダムアクセスプリアンブルは、ランダムアクセスプリアンブルのインデックスに少なくとも基づき特定されてもよい。ランダムアクセスプリアン
ブルの異なるインデックスに対応する異なるランダムアクセスプリアンブルは、物理ルートシーケンスインデックスｕとサイクリックシフトの異なる組み合わせに対応してもよい。物理ルートシーケンスインデックスｕ、および、サイクリックシフトは、システム情報に含まれる情報に少なくとも基づいて与えられてもよい。物理ルートシーケンスインデックスｕは、ランダムアクセスプリアンブルに含まれる系列を識別するインデックスであってもよい。ランダムアクセスプリアンブルは、物理ルートシーケンスインデックスｕに少なくとも基づき特定されてもよい。
【００７４】
図１において、上りリンクの無線通信では、以下の上りリンク物理シグナルが用いられる。上りリンク物理シグナルは、上位層から出力された情報を送信するために使用されなくてもよいが、物理層によって使用される。
・ＵＬ  ＤＭＲＳ（UpLink Demodulation Reference Signal）
・ＳＲＳ（Sounding Reference Signal）
・ＵＬ  ＰＴＲＳ（UpLink Phase Tracking Reference Signal）
【００７５】
ＵＬ  ＤＭＲＳは、ＰＵＳＣＨ、および／または、ＰＵＣＣＨの送信に関連する。ＵＬ
ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、ＰＵＳＣＨと、該ＰＵＳＣＨに関連するＵＬ  ＤＭＲＳを共に送信することを、単に、ＰＵＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００７６】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００７７】
ＵＬ  ＰＴＲＳは、位相トラッキングのために少なくとも用いられる参照信号であってもよい。ＵＬ  ＰＴＲＳは、１または複数のＵＬ  ＤＭＲＳに用いられるアンテナポートを少なくとも含むＵＬ  ＤＭＲＳグループに関連してもよい。ＵＬ  ＰＴＲＳとＵＬ  ＤＭＲＳグループが関連することは、ＵＬ  ＰＴＲＳのアンテナポートとＵＬ  ＤＭＲＳグループに含まれるアンテナポートの一部または全部が少なくともＱＣＬであることであってもよい。ＵＬ  ＤＭＲＳグループは、ＵＬ  ＤＭＲＳグループに含まれるＵＬ  ＤＭＲＳにおいて最も小さいインデックスのアンテナポートに少なくとも基づき識別されてもよい。ＵＬ  ＰＴＲＳは、１つのコードワードがマップされる１または複数のアンテナポートにおいて、最もインデックスの小さいアンテナポートにマップされてもよい。ＵＬ  ＰＴＲＳは、１つのコードワードが第１のレイヤ及び第２のレイヤに少なくともマップされる場合に、該第１のレイヤにマップされてもよい。ＵＬ  ＰＴＲＳは、該第２のレイヤにマップされなくてもよい。ＵＬ  ＰＴＲＳがマップされるアンテナポートのインデックスは、下りリンク制御情報に少なくとも基づき与えられてもよい。
【００７８】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＤＣＣＨ（Physical Downlink Control Channel）
・ＰＤＳＣＨ（Physical Downlink Shared Channel）
【００７９】
ＰＢＣＨは、ＭＩＢ、および／または、ＰＢＣＨペイロードを送信するために少なくとも用いられる。ＰＢＣＨペイロードは、ＳＳブロックの送信タイミングに関するインデックスを示す情報を少なくとも含んでもよい。ＰＢＣＨペイロードは、ＳＳブロックの識別子（インデックス）に関連する情報を含んでもよい。ＰＢＣＨは、所定の送信間隔に基づき送信されてもよい。ＰＢＣＨは、８０ｍｓの間隔で送信されてもよい。ＰＢＣＨは、１６０ｍｓの間隔で送信されてもよい。ＰＢＣＨに含まれる情報の中身は、８０ｍｓごとに更新されてもよい。ＰＢＣＨに含まれる情報の一部または全部は、１６０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、ＳＳブロックの識別子（インデックス）に関連する情報を含んでもよい。ＭＩＢは、ＰＢＣＨが送信されるスロットの番号、サブフレームの番号、および／または、無線フレームの番号の少なくとも一部を指示する情報を含んでもよい。
【００８０】
ＰＤＣＣＨは、下りリンク制御情報（DCI:Downlink Control Information）の送信のために少なくとも用いられる。ＰＤＣＣＨは、下りリンク制御情報を少なくとも含んで送信されてもよい。ＰＤＣＣＨは下りリンク制御情報を含んで送信されてもよい。下りリンク制御情報は、ＤＣＩフォーマットとも呼称される。下りリンク制御情報は、下りリンクグラント（downlink grant）または上りリンクグラント（uplink grant）のいずれかを少なくとも示してもよい。ＰＤＳＣＨのスケジューリングのために用いられるＤＣＩフォーマットは、下りリンクＤＣＩフォーマットとも呼称される。ＰＵＳＣＨのスケジューリングのために用いられるＤＣＩフォーマットは、上りリンクＤＣＩフォーマットとも呼称される。下りリンクグラントは、下りリンクアサインメント（downlink assignment）または
下りリンク割り当て（downlink allocation）とも呼称される。上りリンクＤＣＩフォー
マットは、ＤＣＩフォーマット０＿０およびＤＣＩフォーマット０＿１の一方または両方を少なくとも含む。
【００８１】
ＤＣＩフォーマット０＿０は、１Ａから１Ｆの一部または全部を少なくとも含んで構成される。
１Ａ）ＤＣＩフォーマット特定フィールド（Identifier for DCI formats field）
１Ｂ）周波数領域リソース割り当てフィールド（Frequency domain resource assignment
field）
１Ｃ）時間領域リソース割り当てフィールド（Time domain resource assignment field
）
１Ｄ）周波数ホッピングフラグフィールド（Frequency hopping flag field）
１Ｅ）ＭＣＳフィールド（MCS field: Modulation and Coding Scheme field）
１Ｆ）第１のＣＳＩリスエストフィールド（First CSI request field）
【００８２】
ＤＣＩフォーマット特定フィールドは、該ＤＣＩフォーマット特定フィールドを含むＤＣＩフォーマットが１または複数のＤＣＩフォーマットのいずれに対応するかを示すために少なくとも用いられてもよい。該１または複数のＤＣＩフォーマットは、ＤＣＩフォーマット１＿０、ＤＣＩフォーマット１＿１、ＤＣＩフォーマット０＿０、および／または、ＤＣＩフォーマット０＿１の一部または全部に少なくとも基づき与えられてもよい。
【００８３】
周波数領域リソース割り当てフィールドは、該周波数領域リソース割り当てフィールドを含むＤＣＩフォーマットによりスケジューリングされるＰＵＳＣＨのための周波数リソースの割り当てを示すために少なくとも用いられてもよい。
【００８４】
時間領域リソース割り当てフィールドは、該時間領域リソース割り当てフィールドを含むＤＣＩフォーマットによりスケジューリングされるＰＵＳＣＨのための時間リソースの割り当てを示すために少なくとも用いられてもよい。
【００８５】
周波数ホッピングフラグフィールドは、該周波数ホッピングフラグフィールドを含むＤＣＩフォーマットによりスケジューリングされるＰＵＳＣＨに対して周波数ホッピングが適用されるか否かを示すために少なくとも用いられてもよい。
【００８６】
ＭＣＳフィールドは、該ＭＣＳフィールドを含むＤＣＩフォーマットによりスケジューリングされるＰＵＳＣＨのための変調方式、および／または、ターゲット符号化率の一部または全部を示すために少なくとも用いられてもよい。該ターゲット符号化率は、該ＰＵＳＣＨのトランスポートブロックのためのターゲット符号化率であってもよい。該トランスポートブロックのサイズ（TBS: Transport Block Size）は、該ターゲット符号化率に
少なくとも基づき与えられてもよい。
【００８７】
第１のＣＳＩリクエストフィールドは、ＣＳＩの報告を指示するために少なくとも用いられる。第１のＣＳＩリクエストフィールドのサイズは、所定の値であってもよい。第１のＣＳＩリクエストフィールドのサイズは、０であってもよいし、１であってもよいし、２であってもよいし、３であってもよい。
【００８８】
ＤＣＩフォーマット０＿１は、２Ａから２Ｇの一部または全部を少なくとも含んで構成される。
２Ａ）ＤＣＩフォーマット特定フィールド
２Ｂ）周波数領域リソース割り当てフィールド
２Ｃ）時間領域リソース割り当てフィールド
２Ｄ）周波数ホッピングフラグフィールド
２Ｅ）ＭＣＳフィールド
２Ｆ）第２のＣＳＩリクエストフィールド（Second CSI request field）
２Ｇ）ＢＷＰフィールド（BWP field）
【００８９】
ＢＷＰフィールドは、ＤＣＩフォーマット０＿１によりスケジューリングされるＰＵＳＣＨがマップされる上りリンクＢＷＰを指示するために用いられてもよい。
【００９０】
第２のＣＳＩリクエストフィールドは、ＣＳＩの報告を指示するために少なくとも用いられる。第２のＣＳＩリクエストフィールドのサイズは、上位層のパラメータＲｅｐｏｒｔＴｒｉｇｇｅｒＳｉｚｅに少なくとも基づき与えられてもよい。
【００９１】
下りリンクＤＣＩフォーマットは、ＤＣＩフォーマット１＿０、および、ＤＣＩフォーマット１＿１の一方または両方を少なくとも含む。
【００９２】
ＤＣＩフォーマット１＿０は、３Ａから３Ｈの一部または全部を少なくとも含んで構成される。
３Ａ）ＤＣＩフォーマット特定フィールド（Identifier for DCI formats field）
３Ｂ）周波数領域リソース割り当てフィールド（Frequency domain resource assignment
field）
３Ｃ）時間領域リソース割り当てフィールド（Time domain resource assignment field
）
３Ｄ）周波数ホッピングフラグフィールド（Frequency hopping flag field）
３Ｅ）ＭＣＳフィールド（MCS field: Modulation and Coding Scheme field）
３Ｆ）第１のＣＳＩリスエストフィールド（First CSI request field）
３Ｇ）ＰＤＳＣＨからＨＡＲＱフィードバックへのタイミング指示フィールド（PDSCH to
HARQ feedback timing indicator field）
３Ｈ）ＰＵＣＣＨリソース指示フィールド（PUCCH resource indicator field）
【００９３】
ＰＤＳＣＨからＨＡＲＱフィードバックへのタイミング指示フィールドは、タイミングＫ１を示すフィールドであってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨまたはＰＵＳＣＨが含まれるスロットのインデックスはｎ＋Ｋ１であってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨの先頭のＯＦＤＭシンボルまたはＰＵＳＣＨの先頭のＯＦＤＭシンボルが含まれるスロットのインデックスはｎ＋Ｋ１であってもよい。
【００９４】
ＰＵＣＣＨリソース指示フィールドは、ＰＵＣＣＨリソースセットに含まれる１または複数のＰＵＣＣＨリソースのインデックスを示すフィールドであってもよい。
【００９５】
ＤＣＩフォーマット１＿１は、４Ａから４Ｊの一部または全部を少なくとも含んで構成される。
４Ａ）ＤＣＩフォーマット特定フィールド（Identifier for DCI formats field）
４Ｂ）周波数領域リソース割り当てフィールド（Frequency domain resource assignment
field）
４Ｃ）時間領域リソース割り当てフィールド（Time domain resource assignment field
）
４Ｄ）周波数ホッピングフラグフィールド（Frequency hopping flag field）
４Ｅ）ＭＣＳフィールド（MCS field: Modulation and Coding Scheme field）
４Ｆ）第１のＣＳＩリスエストフィールド（First CSI request field）
４Ｇ）ＰＤＳＣＨからＨＡＲＱフィードバックへのタイミング指示フィールド（PDSCH to
HARQ feedback timing indicator field）
４Ｈ）ＰＵＣＣＨリソース指示フィールド（PUCCH resource indicator field）
４Ｊ）ＢＷＰフィールド（BWP field）
【００９６】
ＢＷＰフィールドは、ＤＣＩフォーマット１＿１によりスケジューリングされるＰＤＳＣＨがマップされる下りリンクＢＷＰを指示するために用いられてもよい。
【００９７】
ＤＣＩフォーマット２は、ＰＵＳＣＨ、または、ＰＵＣＣＨの送信電力制御のために用いられるパラメータを含んでもよい。
【００９８】
本実施形態の種々の態様において、特別な記載のない限り、リソースブロックの数は周波数領域におけるリソースブロックの数を示す。また、リソースブロックのインデックスは、低い周波数領域にマップされるリソースブロックから高い周波数領域にマップされるリソースブロックに昇順で付される。また、リソースブロックは、共通リソースブロック、および、物理リソースブロックの総称である。
【００９９】
１つの物理チャネルは、１つのサービングセルにマップされてもよい。１つの物理チャネルは、１つのサービングセルに含まれる１つのキャリアに設定される１つのキャリアバンドパートにマップされてもよい。
【０１００】
端末装置１は、１または複数の制御リソースセット（CORESET:COntrol REsource SET）が与えられる。端末装置１は、１または複数の制御リソースセットにおいてＰＤＣＣＨを監視（monitor）する。
【０１０１】
制御リソースセットは、１つまたは複数のＰＤＣＣＨがマップされうる時間周波数領域
を示してもよい。制御リソースセットは、端末装置１がＰＤＣＣＨを監視する領域であってもよい。制御リソースセットは、連続的なリソース（Localized resource）により構成されてもよい。制御リソースセットは、非連続的なリソース（distributed resource）により構成されてもよい。
【０１０２】
周波数領域において、制御リソースセットのマッピングの単位はリソースブロックであってもよい。例えば、周波数領域において、制御リソースセットのマッピングの単位は６リソースブロックであってもよい。時間領域において、制御リソースセットのマッピングの単位はＯＦＤＭシンボルであってもよい。例えば、時間領域において、制御リソースセットのマッピングの単位は１ＯＦＤＭシンボルであってもよい。
【０１０３】
制御リソースセットの周波数領域は、上位層の信号、および／または、下りリンク制御情報に少なくとも基づき与えられてもよい。
【０１０４】
制御リソースセットの時間領域は、上位層の信号、および／または、下りリンク制御情報に少なくとも基づき与えられてもよい。
【０１０５】
ある制御リソースセットは、共通制御リソースセット（Common control resource set
）であってもよい。共通制御リソースセットは、複数の端末装置１に対して共通に設定される制御リソースセットであってもよい。共通制御リソースセットは、ＭＩＢ、ＳＩＢ、共通ＲＲＣシグナリング、および、セルＩＤの一部または全部に少なくとも基づき与えられてもよい。例えば、ＳＩＢのスケジューリングのために用いられるＰＤＣＣＨをモニタすることが設定される制御リソースセットの時間リソース、および／または、周波数リソースは、ＭＩＢに少なくとも基づき与えられてもよい。
【０１０６】
ある制御リソースセットは、専用制御リソースセット（Dedicated control resource set）であってもよい。専用制御リソースセットは、端末装置１のために専用に用いられるように設定される制御リソースセットであってもよい。専用制御リソースセットは、専用ＲＲＣシグナリングに少なくとも基づき与えられてもよい。
【０１０７】
端末装置１によって監視されるＰＤＣＣＨの候補のセットは、探索領域の観点から定義されてもよい。つまり、端末装置１によって監視されるＰＤＣＣＨ候補のセットは、探索領域によって与えられてもよい。
【０１０８】
探索領域は、１または複数の集約レベル（Aggregation level）のＰＤＣＣＨ候補を１
または複数含んで構成されてもよい。ＰＤＣＣＨ候補の集約レベルは、該ＰＤＣＣＨを構成するＣＣＥの個数を示してもよい。
【０１０９】
端末装置１は、ＤＲＸ（Discontinuous reception）が設定されないスロットにおいて
少なくとも１または複数の探索領域を監視してもよい。ＤＲＸは、上位層のパラメータに少なくとも基づき与えられてもよい。端末装置１は、ＤＲＸが設定されないスロットにおいて少なくとも１または複数の探索領域セット（Search space set）を監視してもよい。
【０１１０】
探索領域セットは、１または複数の探索領域を少なくとも含んで構成されてもよい。探索領域セットのタイプは、タイプ０ＰＤＣＣＨ共通探索領域（common search space）、
タイプ０ａＰＤＣＣＨ共通探索領域、タイプ１ＰＤＣＣＨ共通探索領域、タイプ２ＰＤＣＣＨ共通探索領域、タイプ３ＰＤＣＣＨ共通探索領域、および／または、ＵＥ個別ＰＤＣＣＨ探索領域のいずれかであってもよい。
【０１１１】
タイプ０ＰＤＣＣＨ共通探索領域、タイプ０ａＰＤＣＣＨ共通探索領域、タイプ１ＰＤ
ＣＣＨ共通探索領域、タイプ２ＰＤＣＣＨ共通探索領域、および、タイプ３ＰＤＣＣＨ共通探索領域は、ＣＳＳ（Common Search Space）とも呼称される。ＵＥ個別ＰＤＣＣＨ探
索領域は、ＵＳＳ（UE specific Search Space）とも呼称される。
【０１１２】
探索領域セットのそれぞれは、１つの制御リソースセットに関連してもよい。探索領域セットのそれぞれは、１つの制御リソースセットに少なくとも含まれてもよい。探索領域セットのそれぞれに対して、該探索領域セットに関連する制御リソースセットのインデックスが与えられてもよい。
【０１１３】
タイプ０ＰＤＣＣＨ共通探索領域は、ＳＩ−ＲＮＴＩ（System Information-Radio Network Temporary Identifier）によってスクランブルされたＣＲＣ（Cyclic Redundancy Check）系列を伴うＤＣＩフォーマットのために少なくとも用いられてもよい。タイプ０ＰＤＣＣＨ共通探索領域の設定は、上位層パラメータＰＤＣＣＨ−ＣｏｎｆｉｇＳＩＢ１のＬＳＢ（Least Significant Bits）の４ビットに少なくとも基づき与えられてもよい。上位層パラメータＰＤＣＣＨ−ＣｏｎｆｉｇＳＩＢ１は、ＭＩＢに含まれてもよい。タイプ０ＰＤＣＣＨ共通探索領域の設定は、上位層のパラメータＳｅａｒｃｈＳｐａｃｅＺｅｒｏに少なくとも基づき与えられてもよい。上位層のパラメータＳｅａｒｃｈＳｐａｃｅＺｅｒｏのビットの解釈は、上位層パラメータＰＤＣＣＨ−ＣｏｎｆｉｇＳＩＢ１のＬＳＢの４ビットの解釈と同様であってもよい。タイプ０ＰＤＣＣＨ共通探索領域の設定は、上位層のパラメータＳｅａｒｃｈＳｐａｃｅＳＩＢ１に少なくとも基づき与えられてもよい。上位層のパラメータＳｅａｒｃｈＳｐａｃｅＳＩＢ１は、上位層のパラメータＰＤＣＣＨ−ＣｏｎｆｉｇＣｏｍｍｏｎに含まれてもよい。タイプ０ＰＤＣＣＨ共通探索領域で検出されるＰＤＣＣＨは、ＳＩＢ１を含んで送信されるＰＤＳＣＨのスケジューリングのために少なくとも用いられてもよい。ＳＩＢ１は、ＳＩＢの一種である。ＳＩＢ１は、ＳＩＢ１以外のＳＩＢのスケジューリング情報を含んでもよい。端末装置１は、ＥＵＴＲＡにおいて上位層のパラメータＰＤＣＣＨ−ＣｏｎｆｉｇＣｏｍｍｏｎを受信してもよい。端末装置１は、ＭＣＧにおいて上位層のパラメータＰＤＣＣＨ−ＣｏｎｆｉｇＣｏｍｍｏｎを受信してもよい。
【０１１４】
タイプ０ａＰＤＣＣＨ共通探索領域は、ＳＩ−ＲＮＴＩ（System Information-Radio Network Temporary Identifier）によってスクランブルされたＣＲＣ（Cyclic Redundancy
Check）系列を伴うＤＣＩフォーマットのために少なくとも用いられてもよい。タイプ０ａＰＤＣＣＨ共通探索領域の設定は、上位層パラメータＳｅａｒｃｈＳｐａｃｅＯｔｈｅｒＳｙｓｔｅｍＩｎｆｏｒｍａｔｉｏｎに少なくとも基づき与えられてもよい。上位層パラメータＳｅａｒｃｈＳｐａｃｅＯｔｈｅｒＳｙｓｔｅｍＩｎｆｏｒｍａｔｉｏｎは、ＳＩＢ１に含まれてもよい。上位層のパラメータＳｅａｒｃｈＳｐａｃｅＯｔｈｅｒＳｙｓｔｅｍＩｎｆｏｒｍａｔｉｏｎは、上位層のパラメータＰＤＣＣＨ−ＣｏｎｆｉｇＣｏｍｍｏｎに含まれてもよい。タイプ０ＰＤＣＣＨ共通探索領域で検出されるＰＤＣＣＨは、ＳＩＢ１以外のＳＩＢを含んで送信されるＰＤＳＣＨのスケジューリングのために少なくとも用いられてもよい。
【０１１５】
タイプ１ＰＤＣＣＨ共通探索領域は、ＲＡ−ＲＮＴＩ（Random Access-Radio Network Temporary Identifier）によってスクランブルされたＣＲＣ系列、および／または、ＴＣ−ＲＮＴＩ（Temporary Common-Radio Network Temporary Identifier）によってスクラ
ンブルされたＣＲＣ系列を伴うＤＣＩフォーマットのために少なくとも用いられてもよい。ＲＡ−ＲＮＴＩは、端末装置１によって送信されるランダムアクセスプリアンブルの時間／周波数リソースに少なくとも基づき与えられてもよい。ＴＣ−ＲＮＴＩは、ＲＡ−ＲＮＴＩによってスクランブルされたＣＲＣ系列を伴うＤＣＩフォーマットによりスケジューリングされるＰＤＳＣＨ（メッセージ２、または、ランダムアクセスレスポンスとも呼称される）により与えられてもよい。タイプ１ＰＤＣＣＨ共通探索領域は、上位層のパラ
メータｒａ−ＳｅａｒｃｈＳｐａｃｅに少なくとも基づき与えられてもよい。上位層のパラメータｒａ−ＳｅａｒｃｈＳｐａｃｅは、ＳＩＢ１に含まれてもよい。上位層のパラメータｒａ−ＳｅａｒｃｈＳｐａｃｅは、上位層のパラメータＰＤＣＣＨ−ＣｏｎｆｉｇＣｏｍｍｏｎに含まれてもよい。
【０１１６】
タイプ２ＰＤＣＣＨ共通探索領域は、Ｐ−ＲＮＴＩ（Paging- Radio Network Temporary Identifier）によってスクランブルされたＣＲＣ系列を伴うＤＣＩフォーマットのために用いられてもよい。Ｐ−ＲＮＴＩは、ＳＩＢの変更を通知する情報を含むＤＣＩフォーマットの送信のために少なくとも用いられてもよい。タイプ２ＰＤＣＣＨ共通探索領域は、上位層のパラメータＰａｇｉｎｇＳｅａｒｃｈＳｐａｃｅに少なくとも基づき与えられてもよい。上位層のパラメータＰａｇｉｎｇＳｅａｒｃｈＳｐａｃｅは、ＳＩＢ１に含まれてもよい。上位層のパラメータＰａｇｉｎｇＳｅａｒｃｈＳｐａｃｅは、上位層のパラメータＰＤＣＣＨ−ＣｏｎｆｉｇＣｏｍｍｏｎに含まれてもよい。
【０１１７】
タイプ３ＰＤＣＣＨ共通探索領域は、Ｃ−ＲＮＴＩ（Cell-Radio Network Temporary Identifier）によってスクランブルされたＣＲＣ系列を伴うＤＣＩフォーマットのために
用いられてもよい。Ｃ−ＲＮＴＩは、ＴＣ−ＲＮＴＩによってスクランブルされたＣＲＣ系列を伴うＤＣＩフォーマットによりスケジューリングされるＰＤＳＣＨ（メッセージ４、または、コンテンションレゾリューションとも呼称される）に少なくとも基づき与えられてもよい。タイプ３ＰＤＣＣＨ共通探索領域は、上位層のパラメータＳｅａｒｃｈＳｐａｃｅＴｙｐｅがｃｏｍｍｏｎにセットされている場合に与えられる探索領域セットであってもよい。
【０１１８】
ＵＥ個別ＰＤＣＣＨ探索領域は、Ｃ−ＲＮＴＩによってスクランブルされたＣＲＣ系列を伴うＤＣＩフォーマットのために少なくとも用いられてもよい。
【０１１９】
端末装置１にＣ−ＲＮＴＩが与えられた場合、タイプ０ＰＤＣＣＨ共通探索領域、タイプ０ａＰＤＣＣＨ共通探索領域、タイプ１ＰＤＣＣＨ共通探索領域、および／または、タイプ２ＰＤＣＣＨ共通探索領域は、Ｃ−ＲＮＴＩでスクランブルされたＣＲＣ系列を伴うＤＣＩフォーマットのために少なくとも用いられてもよい。
【０１２０】
端末装置１にＣ−ＲＮＴＩが与えられた場合、上位層パラメータＰＤＣＣＨ−ＣｏｎｆｉｇＳＩＢ１、上位層のパラメータＳｅａｒｃｈＳｐａｃｅＺｅｒｏ、上位層のパラメータＳｅａｒｃｈＳｐａｃｅＳＩＢ１、上位層のパラメータＳｅａｒｃｈＳｐａｃｅＯｔｈｅｒＳｙｓｔｅｍＩｎｆｏｒｍａｔｉｏｎ、上位層のパラメータｒａ−ＳｅａｒｃｈＳｐａｃｅ、または、上位層パラメータＰａｇｉｎｇＳｅａｒｃｈＳｐａｃｅのいずれかに少なくとも基づき与えられる探索領域セットは、Ｃ−ＲＮＴＩでスクランブルされたＣＲＣ系列を伴うＤＣＩフォーマットのために少なくとも用いられてもよい。
【０１２１】
共通制御リソースセットは、ＣＳＳおよびＵＳＳの一方または両方を少なくとも含んでもよい。専用制御リソースセットは、ＣＳＳおよびＵＳＳの一方または両方を少なくとも含んでもよい。
【０１２２】
探索領域の物理リソースは制御チャネルの構成単位（CCE:Control Channel Element）
により構成される。ＣＣＥは６つのリソース要素グループ（REG:Resource Element Group）により構成される。ＲＥＧは１つのＰＲＢ（Physical Resource Block）の１ＯＦＤＭ
シンボルにより構成されてもよい。つまり、ＲＥＧは１２個のリソースエレメント（RE:Resource Element）を含んで構成されてもよい。ＰＲＢは、単にＲＢ（Ｒｅｓｏｕｒｃｅ
Ｂｌｏｃｋ：リソースブロック）とも呼称される。
【０１２３】
ＰＤＳＣＨは、トランスポートブロックを送信するために少なくとも用いられる。ＰＤＳＣＨは、ランダムアクセスメッセージ２（ランダムアクセスレスポンス）を送信するために少なくとも用いられてもよい。ＰＤＳＣＨは、初期アクセスのために用いられるパラメータを含むシステム情報を送信するために少なくとも用いられてもよい。
【０１２４】
図１において、下りリンクの無線通信では、以下の下りリンク物理シグナルが用いられる。下りリンク物理シグナルは、上位層から出力された情報を送信するために使用されなくてもよいが、物理層によって使用される。
・同期信号（SS:Synchronization signal）
・ＤＬ  ＤＭＲＳ（DownLink DeModulation Reference Signal）
・ＣＳＩ−ＲＳ（Channel State Information-Reference Signal）
・ＤＬ  ＰＴＲＳ（DownLink Phase Tracking Reference Signal）
・ＴＲＳ（Tracking Reference Signal）
【０１２５】
同期信号は、端末装置１が下りリンクの周波数領域、および／または、時間領域の同期をとるために用いられる。同期信号は、ＰＳＳ（Primary Synchronization Signal）、および、ＳＳＳ（Secondary Synchronization Signal）を含む。
【０１２６】
ＳＳブロック（ＳＳ／ＰＢＣＨブロック）は、ＰＳＳ、ＳＳＳ、および、ＰＢＣＨの一部または全部を少なくとも含んで構成される。ＳＳブロックに含まれるＰＳＳ、ＳＳＳ、および、ＰＢＣＨの一部または全部のそれぞれのアンテナポートは同一であってもよい。ＳＳブロックに含まれるＰＳＳ、ＳＳＳ、およびＰＢＣＨの一部または全部は、連続するＯＦＤＭシンボルにマップされてもよい。ＳＳブロックに含まれるＰＳＳ、ＳＳＳ、および、ＰＢＣＨの一部または全部のそれぞれのＣＰ設定は同一であってもよい。ＳＳブロックに含まれるＰＳＳ、ＳＳＳ、および、ＰＢＣＨの一部または全部のそれぞれのサブキャリア間隔の設定μは同一であってもよい。
【０１２７】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、および／または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。以下、ＰＢＣＨと、該ＰＢＣＨと関連するＤＬ  ＤＭＲＳが共に送信されることは、ＰＢＣＨが送信されると呼称される。また、ＰＤＣＣＨと、該ＰＤＣＣＨと関連するＤＬ  ＤＭＲＳが共に送信されることは、単にＰＤＣＣＨが送信されると呼称される。また、ＰＤＳＣＨと、該ＰＤＳＣＨと関連するＤＬ  ＤＭＲＳが共に送信されることは、単にＰＤＳＣＨが送信されると呼称される。ＰＢＣＨと関連するＤＬ  ＤＭＲＳは、ＰＢＣＨ用ＤＬ  ＤＭＲＳとも呼称される。ＰＤＳＣＨと関連するＤＬ  ＤＭＲＳは、ＰＤＳＣＨ用ＤＬ  ＤＭＲＳとも呼称される。ＰＤＣＣＨと関連するＤＬ  ＤＭＲＳは、ＰＤＣＣＨと関連するＤＬ  ＤＭＲＳとも呼称される。
【０１２８】
ＤＬ  ＤＭＲＳは、端末装置１に個別に設定される参照信号であってもよい。ＤＬ  ＤＭＲＳの系列は、端末装置１に個別に設定されるパラメータに少なくとも基づいて与えられてもよい。ＤＬ  ＤＭＲＳの系列は、ＵＥ固有の値（例えば、Ｃ−ＲＮＴＩ等）に少なくとも基づき与えられてもよい。ＤＬ  ＤＭＲＳは、ＰＤＣＣＨ、および／または、ＰＤＳＣＨのために個別に送信されてもよい。
【０１２９】
ＣＳＩ−ＲＳは、チャネル状態情報を算出するために少なくとも用いられる信号であってもよい。端末装置によって想定されるＣＳＩ−ＲＳのパターンは、少なくとも上位層のパラメータにより与えられてもよい。
【０１３０】
ＰＴＲＳは、位相雑音の補償のために少なくとも用いられる信号であってもよい。端末装置によって想定されるＰＴＲＳのパターンは、上位層のパラメータ、および／または、ＤＣＩに少なくとも基づき与えられてもよい。
【０１３１】
ＤＬ  ＰＴＲＳは、１または複数のＤＬ  ＤＭＲＳに用いられるアンテナポートを少なくとも含むＤＬ  ＤＭＲＳグループに関連してもよい。ＤＬ  ＰＴＲＳとＤＬ  ＤＭＲＳグループが関連することは、ＤＬ  ＰＴＲＳのアンテナポートとＤＬ  ＤＭＲＳグループに含まれるアンテナポートの一部または全部が少なくともＱＣＬであることであってもよい。ＤＬ  ＤＭＲＳグループは、ＤＬ  ＤＭＲＳグループに含まれるＤＬ  ＤＭＲＳにおいて最も小さいインデックスのアンテナポートに少なくとも基づき識別されてもよい。
【０１３２】
ＴＲＳは、時間、および／または、周波数の同期のために少なくとも用いられる信号であってもよい。端末装置によって想定されるＴＲＳのパターンは、上位層のパラメータ、および／または、ＤＣＩに少なくとも基づき与えられてもよい。
【０１３３】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて物理信号とも呼称される。下りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【０１３４】
ＢＣＨ（Broadcast CHannel）、ＵＬ−ＳＣＨ（Uplink-Shared CHannel）およびＤＬ−ＳＣＨ（Downlink-Shared CHannel）は、トランスポートチャネルである。媒体アクセス
制御（MAC:Medium Access Control）層で用いられるチャネルはトランスポートチャネル
と呼称される。ＭＡＣ層で用いられるトランスポートチャネルの単位は、トランスポートブロック（TB）またはＭＡＣ  ＰＤＵとも呼称される。ＭＡＣ層においてトランスポートブロック毎にＨＡＲＱ（Hybrid Automatic Repeat reQuest）の制御が行なわれる。トラ
ンスポートブロックは、ＭＡＣ層が物理層に渡す（deliver）データの単位である。物理
層において、トランスポートブロックはコードワードにマップされ、コードワード毎に変調処理が行なわれる。
【０１３５】
基地局装置３と端末装置１は、上位層（higher layer）において上位層の信号をやり取り（送受信）する。例えば、基地局装置３と端末装置１は、無線リソース制御（RRC:Radio Resource Control）層において、ＲＲＣシグナリング（RRC message:Radio Resource Control message、RRC information:Radio Resource Control information）を送受信してもよい。また、基地局装置３と端末装置１は、ＭＡＣ層において、ＭＡＣ  ＣＥ（Control Element）を送受信してもよい。ここで、ＲＲＣシグナリング、および／または、ＭＡ
Ｃ  ＣＥを、上位層の信号（higher layer signaling）とも称する。
【０１３６】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層のパラメータは、サービングセル内における複数の端末装置１に対して共通のシグナリング、また
は、ある端末装置１に対して専用のシグナリングを用いて送信されてもよい。ＵＥ固有な上位層のパラメータは、ある端末装置１に対して専用のシグナリングを用いて送信されてもよい。
【０１３７】
ＢＣＣＨ（Broadcast Control CHannel）、ＣＣＣＨ（Common Control CHannel）、お
よび、ＤＣＣＨ（Dedicated Control CHannel）は、ロジカルチャネルである。例えば、
ＢＣＣＨは、ＭＩＢを送信するために用いられる上位層のチャネルである。また、ＣＣＣＨ（Common Control CHannel）は、複数の端末装置１において共通な情報を送信するために用いられる上位層のチャネルである。ここで、ＣＣＣＨは、例えば、ＲＲＣ接続されていない端末装置１のために用いられてもよい。また、ＤＣＣＨ（Dedicated Control CHannel）は、端末装置１に専用の制御情報（dedicated control information）を送信するために少なくとも用いられる上位層のチャネルである。ここで、ＤＣＣＨは、例えば、ＲＲＣ接続されている端末装置１のために用いられてもよい。
【０１３８】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【０１３９】
トランスポートチャネルにおけるＵＬ−ＳＣＨは、物理チャネルにおいてＰＵＳＣＨにマップされてもよい。トランスポートチャネルにおけるＤＬ−ＳＣＨは、物理チャネルにおいてＰＤＳＣＨにマップされてもよい。トランスポートチャネルにおけるＢＣＨは、物理チャネルにおいてＰＢＣＨにマップされてもよい。
【０１４０】
以下、本実施形態の一態様に係る端末装置１の構成例を説明する。
【０１４１】
図５は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、お
よび、ベースバンド部１３の一部または全部を少なくとも含んで構成される。上位層処理部１４は、媒体アクセス制御層処理部１５、および、無線リソース制御層処理部１６の一部または全部を少なくとも含んで構成される。無線送受信部１０を送信部、受信部、または、物理層処理部とも称する。
【０１４２】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（PDCP:Packet Data Convergence Protocol）層、無線リン
ク制御（RLC:Radio Link Control）層、ＲＲＣ層の処理を行なう。
【０１４３】
上位層処理部１４が備える媒体アクセス制御層処理部１５は、ＭＡＣ層の処理を行う。
【０１４４】
上位層処理部１４が備える無線リソース制御層処理部１６は、ＲＲＣ層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。該パラメータは上位層のパラメータであってもよい。
【０１４５】
無線送受信部１０は、変調、復調、符号化、復号化などの物理層の処理を行う。無線送
受信部１０は、受信した物理信号を、分離、復調、復号し、復号した情報を上位層処理部１４に出力する。無線送受信部１０は、データを変調、符号化、ベースバンド信号生成（時間連続信号への変換）することによって物理信号を生成し、基地局装置３に送信する。
【０１４６】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【０１４７】
ベースバンド部１３は、ＲＦ部１２から入力されたアナログ信号をディジタル信号に変換する。ベースバンド部１３は、変換したディジタル信号からＣＰ（Cyclic Prefix）に
相当する部分を除去し、ＣＰを除去した信号に対して高速フーリエ変換（FFT:Fast Fourier Transform）を行い、周波数領域の信号を抽出する。
【０１４８】
ベースバンド部１３は、データを逆高速フーリエ変換（IFFT:Inverse Fast Fourier Transform）して、ＯＦＤＭシンボルを生成し、生成されたＯＦＤＭシンボルにＣＰを付加
し、ベースバンドのディジタル信号を生成し、ベースバンドのディジタル信号をアナログ信号に変換する。ベースバンド部１３は、変換したアナログ信号をＲＦ部１２に出力する。
【０１４９】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１５０】
以下、本実施形態の一態様に係る基地局装置３の構成例を説明する。
【０１５１】
図６は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１５２】
上位層処理部３４は、ＭＡＣ層、ＰＤＣＰ層、ＲＬＣ層、ＲＲＣ層の処理を行なう。
【０１５３】
上位層処理部３４が備える媒体アクセス制御層処理部３５は、ＭＡＣ層の処理を行う。
【０１５４】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１５５】
無線送受信部３０の機能は、無線送受信部１０と同様であるため説明を省略する。
【０１５６】
端末装置１が備える符号１０から符号１６が付された部のそれぞれは、回路として構成
されてもよい。基地局装置３が備える符号３０から符号３６が付された部のそれぞれは、回路として構成されてもよい。端末装置１が備える符号１０から符号１６が付された部の一部または全部は、メモリと該メモリに接続されるプロセッサとして構成されてもよい。基地局装置３が備える符号３０から符号３６が付された部の一部または全部は、メモリと該メモリに接続されるプロセッサとして構成されてもよい。本実施形態に係る種々の態様（動作、処理）は、端末装置１および／または基地局装置３に含まれるメモリおよび該メモリに接続されるプロセッサにおいて実現されて（行われて）もよい。
【０１５７】
図７は、本実施形態の一態様に係る基地局装置３と端末装置１の通信の一例を示す図である。図７の横軸は周波数軸を示す。ポイント（Point）７０００は、あるサブキャリア
を特定するための識別子である。ポイント７０００は、ポイントＡとも呼称される。共通リソースブロック（Common resource block）７１００は、サブキャリア間隔の設定μ１
に対する共通リソースブロックである。サブキャリア間隔の設定μ１は０であってもよい。ポイント７０００は、上位層のパラメータに少なくとも基づき与えられる。例えば、ポイントＡは、ＰＢＣＨがマップされるサブキャリアのうち、最もインデックスの小さい共通リソースブロック７１００のうちのサブキャリア＃０、オフセットパラメータＡ、および、オフセットパラメータＢに少なくとも基づき与えられてもよい。ＰＢＣＨがマップされるサブキャリアのうち、最もインデックスの小さい共通リソースブロック７１００のうちのサブキャリア＃０は、ポイント６９９８とも呼称される。サブキャリア＃０は、インデックス０のサブキャリアであってもよい。あるリソースブロックのサブキャリア＃０は、該あるリソースブロックにおいて最も周波数の低い位置にマップされるサブキャリアであってもよい。
【０１５８】
オフセットパラメータＡは、ＭＩＢに含まれるパラメータ、および／または、該ＭＩＢを含むＰＢＣＨに関連するＤＭＲＳのスクランブリングの一方または両方に少なくとも基づき与えられてもよい。オフセットパラメータＡは、ポイント６９９８とポイント６９９９の差を示すオフセット値であってもよい。該オフセット値は、サブキャリアの数により与えられてもよい。該サブキャリアは、サブキャリア間隔の設定μ＝０のサブキャリアに対応してもよい。
【０１５９】
ポイント６９９９は、インデックスＮＣＲＢＳＳＢの共通リソースブロック７１００のうちのサブキャリア＃０であってもよい。該インデックスＮＣＲＢＳＳＢは、上位層のパラメータに少なくとも基づき与えられてもよい。
【０１６０】
共通リソースブロック７１００の基準点（reference point）は、ポイント７０００を
含んで構成される共通リソースブロックである。例えば、共通リソースブロック７１００の基準点は、インデックス０の共通リソースブロック７１００であってもよい。ポイント７０００を含んで構成される共通リソースブロックは、サブキャリア間隔の設定μ１に対する共通リソースブロック＃０とも呼称される。例えば、インデックス０の共通リソースブロック７１００のうちのサブキャリア＃０の中心周波数はポイント７０００であってもよい。図７において右上がり対角線で示されるブロックは、サブキャリア間隔の設定μ１に対するインデックス０の共通リソースブロック７１００を示す。共通リソースブロック７１００は、サブキャリア間隔の設定μ１のサブキャリアを含んで構成される共通リソースブロックである。
【０１６１】
図７に示されるオフセット７０１１は、サブキャリア間隔の設定μ１とキャリア７００１のために与えられるリソースグリッド７１０１を示すために少なくとも用いられる。図７は、μ１＝０の一例を示している。図７の格子柄で示されるブロックは、リソースグリッド７１０１の基準点を示す。リソースグリッド７１０１の基準点は、共通リソースブロック７１００におけるインデックスＮ７０１１の共通リソースブロックに対応する。Ｎ７
０１１は、ポイント７０００からリソースグリッド７１０１の基準点までのリソースブロックの差を示すオフセット値である。Ｎ７０１１は、オフセット７０１１により与えられる。Ｎ７０１１は、キャリア７００１のサブキャリア間隔の設定μ１によって表現される。
【０１６２】
図７に示されるオフセット７０１３は、ＢＷＰ７００３を示すために少なくとも用いられる。図７の横線で示されるリソースブロックは、ＢＷＰ７００３の基準点を示す。例えば、ＢＷＰ７００３の基準点は、インデックス０の物理リソースブロックであってもよい。
【０１６３】
共通リソースブロック７２００の基準点は、ポイント７０００を含んで構成される共通リソースブロックである。例えば、共通リソースブロック７２００の基準点は、インデックス７２００の共通リソースブロックであってもよい。図７において右下がり対角線で示されるブロックは、サブキャリア間隔の設定μ２に対するインデックス０の共通リソースブロックを示す。共通リソースブロック７２００は、サブキャリア間隔の設定μ２のサブキャリアを含んで構成される共通リソースブロックである。
【０１６４】
図７に示されるオフセット７０１２は、サブキャリア間隔の設定μ２とキャリア７００２のために与えられるリソースグリッド７１０２を示すために少なくとも用いられる。図７は、μ２＝１の一例を示している。図７の縦線で示されるブロックは、リソースグリッド７１０２の基準点を示す。リソースグリッド７１０２の基準点は、共通リソースブロック７２００におけるインデックスＮ７０１２の共通リソースブロックに対応する。Ｎ７０１２は、サブキャリア間隔の設定μ２に対するインデックス０の共通リソースブロックからリソースグリッド７１０２の基準点までのリソースブロックの差を示すオフセット値である。Ｎ７０１２は、オフセット７０１２により与えられる。Ｎ７０１２は、キャリア７００２のサブキャリア間隔の設定μ２によって表現される。
【０１６５】
図７に示されるオフセット７０１４は、ＢＷＰ７００４を示すために少なくとも用いられる。図７のドット柄で示されるリソースブロックは、ＢＷＰ７００４の基準点を示す。例えば、ＢＷＰ７００４の基準点は、インデックス０の物理リソースブロックであってもよい。
【０１６６】
図８は、本実施形態の一態様に係るＰＤＣＣＨ８００１に関連するＤＭＲＳのマッピングの一例を示す図である。ＰＤＣＣＨ８００１に関連するＤＭＲＳのスクランブル系列ｒ（ｘ）は、該ＰＤＣＣＨ８００１を構成するＲＥＧに含まれるリソースエレメントの一部にマップされる。図８における無地のブロック、および、右上がり斜線のブロックは、リソースエレメントを示す。ここで、無地のブロックは、ＰＤＣＣＨに関連するＤＭＲＳのスクランブル系列ｒ（ｘ）に対応しないリソースエレメントである。ここで、ｘは０以上の整数である。また、右上がり斜線のブロックは、ＰＤＣＣＨに関連するＤＭＲＳのスクランブル系列ｒ（ｘ）に対応するリソースエレメントである。
【０１６７】
ＰＤＣＣＨに関連するＤＭＲＳのスクランブル系列ｒ（ｘ）と対応するリソースエレメントとは、所定の条件Ａを満たす場合に該スクランブル系列ｒ（ｘ）が該リソースエレメントにマップされるリソースエレメントであってもよい。該所定の条件Ａは、該リソースエレメントがＰＤＣＣＨを構成するＲＥＧに含まれることであってもよい。
【０１６８】
図８において、ＰＤＣＣＨ８００１は、リソースブロック＃ｎ１およびリソースブロック＃ｎ２を含むリソースブロックのセットにマップされてもよい。なお、ＰＤＣＣＨ８００１がマップされるリソースブロックの数は、１、２、４、８、および、１６のいずれであってもよい。ＰＤＣＣＨ８００１に関連するＤＭＲＳのスクランブル系列ｒ（ｘ）のマ
ッピングにおいて、ＰＤＣＣＨに関連するＤＭＲＳのスクランブル系列ｒ（ｘ）に対応するリソースエレメントの基準点は、インデックス０の共通リソースブロックのうちのサブキャリア＃０であってもよい。また、サブキャリア間隔の設定μに対するＰＤＣＣＨ８００１に関連するＤＭＲＳのスクランブル系列ｒ（ｘ）のマッピングにおいて、ＰＤＣＣＨに関連するＤＭＲＳのスクランブル系列ｒ（ｘ）に対応するリソースエレメントの基準点は、該サブキャリア間隔の設定μに対するインデックス０の共通リソースブロックのうちのサブキャリア＃０であってもよい。。つまり、共通リソースブロックのインデックスに基づき、ＰＤＣＣＨ８００１に関連するＤＭＲＳのスクランブル系列ｒ（ｘ）がマップされてもよい。また、サブキャリア間隔の設定μに対する共通リソースブロックのインデックスに基づき、サブキャリア間隔の設定μに対するＰＤＣＣＨ８００１に関連するＤＭＲＳのスクランブル系列ｒ（ｘ）がマップされてもよい。つまり、図８のｋｓｃ＝０に対応するポイントは、ポイント７０００と一致してもよい。
【０１６９】
ＰＤＣＣＨに関連するＤＭＲＳのスクランブル系列ｒ（ｘ）に対応するリソースエレメントのサブキャリアインデックスｋｓｃは、ｋｓｃ＝ｎＲＢｉｎｄｅｘＮＲＢｓｃ＋４ｋｓｃ＿ｔｍｐ＋１で与えられてもよい。ここで、ｎＲＢｉｎｄｅｘは、０以上の任意の整数を示す。ｋｓｃ＿ｔｍｐは、０、１、または、２を示す。つまり、ＰＤＣＣＨに関連するＤＭＲＳのスクランブル系列ｒ（ｘ）に対応するリソースエレメントのサブキャリアインデックスｋｓｃは、ｎＲＢｉｎｄｅｘ、および、ｋｓｃ＿ｔｍｐの値の任意のセットに基づき与えられてもよい。ｋｓｃ＝ｎＲＢｉｎｄｅｘＮＲＢｓｃ＋４ｋｓｃ＿ｔｍｐ＋１に基づき与えられるサブキャリアインデックスｋｓｃは、図８に示される右上がり斜線のサブキャリアに対応する。
【０１７０】
スクランブル系列ｒ（０）は、ｋｓｃ＝１のリソースエレメントに対応し、スクランブル系列ｒ（０）は、ｋｓｃ＝５のリソースエレメントに対応し、スクランブル系列ｒ（０）は、ｋｓｃ＝９のリソースエレメントに対応する。ｋｓｃ＝１、５、９のリソースエレメントは、ＰＤＣＣＨ８００１を構成するＲＥＧに含まれない。
【０１７１】
スクランブル系列ｒ（ｎ１＋０）は、ｋｓｃ＝ｋ１＋１＝（ｎ１−１）＊ＮＲＢｓｃ＋１のリソースエレメントに対応し、スクランブル系列ｒ（ｎ１＋１）は、ｋｓｃ＝ｋ１＋５＝（ｎ１−１）＊ＮＲＢｓｃ＋５のリソースエレメントに対応し、スクランブル系列ｒ（ｎ１＋２）は、ｋｓｃ＝ｋ１＋９＝（ｎ１−１）＊ＮＲＢｓｃ＋９のリソースエレメントに対応する。ｋｓｃ＝ｋ１＋１＝（ｎ１−１）＊ＮＲＢｓｃ＋１のリソースエレメントがＰＤＣＣＨ８００１を構成するＲＥＧに含まれることに基づいて、スクランブル系列ｒ（ｎ１＋０）は、ｋｓｃ＝ｋ１＋１＝（ｎ１−１）＊ＮＲＢｓｃ＋１のリソースエレメントにマップされてもよい。ｋｓｃ＝ｋ１＋５＝（ｎ１−１）＊ＮＲＢｓｃ＋５のリソースエレメントがＰＤＣＣＨ８００１を構成するＲＥＧに含まれることに基づいて、スクランブル系列ｒ（ｎ１＋１）は、ｋｓｃ＝ｋ１＋５＝（ｎ１−１）＊ＮＲＢｓｃ＋５のリソースエレメントにマップされてもよい。ｋｓｃ＝ｋ１＋９＝（ｎ１−１）＊ＮＲＢｓｃ＋９のリソースエレメントがＰＤＣＣＨ８００１を構成するＲＥＧに含まれることに基づいて、スクランブル系列ｒ（ｎ１＋２）は、ｋｓｃ＝ｋ１＋９＝（ｎ１−１）＊ＮＲＢｓｃ＋９のリソースエレメントにマップされてもよい。
【０１７２】
スクランブル系列ｒ（ｎ２＋０）は、ｋｓｃ＝ｋ２＋１＝（ｎ２−１）＊ＮＲＢｓｃ＋１のリソースエレメントに対応し、スクランブル系列ｒ（ｎ２＋１）は、ｋｓｃ＝ｋ２＋５＝（ｎ２−１）＊ＮＲＢｓｃ＋５のリソースエレメントに対応し、スクランブル系列ｒ（ｎ２＋２）は、ｋｓｃ＝ｋ２＋９＝（ｎ２−１）＊ＮＲＢｓｃ＋９のリソースエレメントに対応する。ｋｓｃ＝ｋ２＋１＝（ｎ２−１）＊ＮＲＢｓｃ＋１のリソースエレメントがＰＤＣＣＨ８００１を構成するＲＥＧに含まれることに基づいて、スクランブル系列ｒ（ｎ２＋０）は、ｋｓｃ＝ｋ２＋１＝（ｎ２−１）＊ＮＲＢｓｃ＋１のリソースエレメン
トにマップされてもよい。ｋｓｃ＝ｋ２＋５＝（ｎ２−１）＊ＮＲＢｓｃ＋５のリソースエレメントがＰＤＣＣＨ８００１を構成するＲＥＧに含まれることに基づいて、スクランブル系列ｒ（ｎ２＋１）は、ｋｓｃ＝ｋ２＋５＝（ｎ２−１）＊ＮＲＢｓｃ＋５のリソースエレメントにマップされてもよい。ｋｓｃ＝ｋ２＋９＝（ｎ２−１）＊ＮＲＢｓｃ＋９のリソースエレメントがＰＤＣＣＨ８００１を構成するＲＥＧに含まれることに基づいて、スクランブル系列ｒ（ｎ２＋２）は、ｋｓｃ＝ｋ２＋９＝（ｎ２−１）＊ＮＲＢｓｃ＋９のリソースエレメントにマップされてもよい。
【０１７３】
つまり、スクランブル系列ｒ（３＊ｎＲＢｉｎｄｅｘ＋ｋｓｃ＿ｔｍｐ）は、ｋｓｃ＝ｎＲＢｉｎｄｅｘ＊ＮＲＢｓｃ＋４＊ｋｓｃ＿ｔｍｐ＋１に対応する。
【０１７４】
図９は、本実施形態の一態様に係る制御リソースセットのリソース割り当て方法の一例を示す図である。図９において、横軸は周波数軸であり、各ブロックは、リソースブロックを示す。図９のリソースブロックは、共通リソースブロックであってもよい。６つのリソースブロックは、リソースブロックのグループ（RBG: Resource Block Group）を構成
する。ＮＲＢＧは、ＲＢＧの数を示す。ＮＲＢＧは、予め決められた値でもよい。ＮＲＢＧは、４５または４６であってもよい。ＮＲＢＧは、キャリアの帯域幅、または、ＢＷＰの帯域幅とは関係なく与えられてもよい。ＮＲＢＧとＲＢＧあたりのリソースブロックの数が乗算された値は、キャリアの最大帯域幅Ｎｍａｘに対応してもよい。
【０１７５】
ここで、キャリアの最大帯域幅Ｎｍａｘは、２７５リソースブロックであってもよい。つまり、ＮＲＢＧ＝４５である場合、ＮＲＢＧとＲＢＧあたりのリソースブロックの数が乗算された値（４５＊６＝２７０）は、キャリアの最大帯域幅Ｎｍａｘにおいてマッピング可能なＲＢＧの数の最大値に対応してもよい。ここで、該マッピング可能なＲＢＧの全ては、６つのリソースブロックにより構成されてもよい。つまり、ＮＲＢＧ＝４５である場合、ＮＲＢＧとＲＢＧあたりのリソースブロックの数が乗算された値（４５＊６＝２７０）は、ｆｌｏｏｒ（Ｎｍａｘ／６）に対応してもよい。ここで、ｆｌｏｏｒ（Ａ）は、床関数である。ｆｌｏｏｒ（Ａ）は、Ａを超えない範囲で最大の整数を出力する関数であってもよい。
【０１７６】
また、ＮＲＢＧ＝４６である場合、ＮＲＢＧとＲＢＧあたりのリソースブロックの数が乗算された値（４６＊６＝２７６）は、キャリアの最大帯域幅Ｎｍａｘにおいてマッピング可能なＲＢＧの数の最大値に対応してもよい。ここで、該マッピング可能なＲＢＧの少なくとも１つは、６未満のリソースブロックにより構成されてもよい。つまり、ＮＲＢＧ＝４６である場合、ＮＲＢＧとＲＢＧあたりのリソースブロックの数が乗算された値（４６＊６＝２７６）は、ｃｅｉｌ（Ｎｍａｘ／６）に対応してもよい。ここで、ｃｅｉｌ（Ｂ）は、天井関数である。ｃｅｉｌ（Ｂ）は、Ｂを下回らない範囲で最小の整数を出力する関数であってもよい。
【０１７７】
ＮＲＢＧは、制御リソースセットの周波数リソース割り当てを示す上位層のパラメータＦｒｅｑｕｅｎｃｙＤｏｍａｉｎＲｅｓｏｕｒｃｅｓのビット数に対応してもよい。つまり、上位層のパラメータＦｒｅｑｕｅｎｃｙＤｏｍａｉｎＲｅｓｏｕｒｃｅｓは、ＮＲＢＧ個のＲＢＧのそれぞれに対応するビットに基づき、制御リソースセットを構成するリソースブロックを与えるビットマップであってもよい。
【０１７８】
横線で示されるリソースブロックは、上位層のパラメータＦｒｅｑｕｅｎｃｙＤｏｍａｉｎＲｅｓｏｕｒｃｅｓの基準リソースブロックである（インデックスＮｒｅｆのリソースブロック）を示す。上位層のパラメータＦｒｅｑｕｅｎｃｙＤｏｍａｉｎＲｅｓｏｕｒｃｅｓは、ＮＲＢＧ個のＲＢＧのそれぞれに対応するビットにより構成されるビットマップを含む。該ビットマップの最上位ビット（MSB: Most Significant Bit）は、基準リソ
ースブロックを含んで構成されるＲＢＧに対応してもよい。該ビットマップの最下位ビット（LSB: Least Significant Bit）は、基準リソースブロックを含んで構成されるＲＢＧに対応してもよい。
【０１７９】
該ビットマップのＮ番目のビットはインデックスＮのＲＢＧに対応してもよい。該ビットマップのＮ番目のビットが１にセットされている場合、制御リソースセットはインデックスＮのＲＢＧのリソースブロックにマップされる。
【０１８０】
図９（ａ）は、制御リソースセットのリソース割り当て方法のケース（Ｃａｓｅ）１を示す。ケース１において、インデックス０のＲＢＧのうち最も低い周波数領域に対応するリソースブロックＸｓｔａｒｔは、インデックスＮｒｅｆのリソースブロックである。つまり、ケース１において、上位層のパラメータＦｒｅｑｕｅｎｃｙＤｏｍａｉｎＲｅｓｏｕｒｃｅｓに対応するリソースブロックのうち最も低い周波数に対応するリソースブロックは、インデックスＮｒｅｆの基準リソースブロックである。
【０１８１】
ケース１において、インデックスＸＲＢＧのＲＢＧを構成するインデックスＸＲＢのリソースブロックは、ＸＲＢＧ＝ｆｌｏｏｒ（（ＸＲＢ−Ｎｒｅｆ）／６）の関係を満たしてもよい。
【０１８２】
図９（ｂ）は、制御リソースセットのリソース割り当て方法のケース２を示す。ケース２において、右上がり斜線で示されるブロックは、インデックス０のリソースブロックを示す。ケース２において、インデックス０のＲＢＧのうち最も低い周波数領域に対応するインデックスＸｓｔａｒｔのリソースブロックは、インデックス６＊Ｎｕｎのリソースブロックであり、かつ、該リソースブロックのインデックスがＮｒｅｆ以上である条件の下、最小の整数値によって与えられる該リソースブロックであってもよい。ここで、Ｎｕｎは整数である。ケース２において、Ｎｕｎが１である例が示されている。図９（ｂ）における縦線で示されるブロックは、インデックスＸｓｔａｒｔのリソースブロックを示す。つまり、ケース２において、インデックス０のＲＢＧのうち最も低い周波数領域に対応するインデックスＸｓｔａｒｔのリソースブロックは、インデックス０のリソースブロックから６つのリソースブロックの倍数分だけシフトすることによって与えられるリソースブロックのうち、該リソースブロックのインデックスがＮｒｅｆ以上である条件の下、最小の整数値によって与えられる該リソースブロックであってもよい。
【０１８３】
ケース２において、ＲＢＧ＃０のうち最も低い周波数領域にマップされるリソースブロックのインデックスＸｓｔａｒｔは、Ｘｓｔａｒｔ＝６＊ｃｅｉｌ（Ｎｒｅｆ／６）で与えられてもよい。
【０１８４】
ケース２において、インデックスＸＲＢＧのＲＢＧ＃ＸＲＢＧを構成するリソースブロックのインデックスＸＲＢは、ＸＲＢＧ＝ｆｌｏｏｒ（（ＸＲＢ−Ｘｓｔａｒｔ）／６）の関係を満たしてもよい。
【０１８５】
制御リソースセットのリソース割り当ては、インデックスＮｒｅｆのリソースブロックに少なくとも基づき与えられてもよい。インデックスＮｒｅｆのリソースブロックは、リソースグリッドの基準点に基づき与えられてもよい。該インデックスＮｒｅｆのリソースブロックは、リソースグリッドの基準点に等しくてもよい。
【０１８６】
該リソースグリッドの基準点は、該制御リソースセットに関連するサブキャリア間隔の設定μに少なくとも基づき与えられてもよい。例えば、該制御リソースセットに関連するサブキャリア間隔の設定μがμ１である場合に、該リソースグリッドの基準点は、リソースグリッド７１０１の基準点であってもよい。また、該制御リソースセットに関連するサ
ブキャリア間隔の設定μがμ２である場合に、該リソースグリッドの基準点は、リソースグリッド７１０２の基準点であってもよい。
【０１８７】
該制御リソースセットに関連するサブキャリア間隔の設定μは、該制御リソースセットにおいて送信されるＰＤＣＣＨに関連するサブキャリア間隔の設定μであってもよい。該制御リソースセットに関連するサブキャリア間隔の設定μは、該制御リソースセットの設定に用いられる上位層パラメータを含むＢＷＰに設定されるサブキャリア間隔の設定μであってもよい。該制御リソースセットに関連するサブキャリア間隔の設定μは、該制御リソースセットがマップされるＢＷＰに関連するサブキャリア間隔の設定μであってもよい。
【０１８８】
以下、本実施形態の一態様に係る種々の装置の態様を説明する。
【０１８９】
（１）上記の目的を達成するために、本発明の態様は、以下のような手段を講じた。すなわち、本発明の第１の態様は、端末装置であって、制御リソースセットにおいてＰＤＣＣＨをモニタする受信部を備え、前記制御リソースセットを構成するリソースブロックは、第１の上位層のパラメータに基づき与えられ、前記第１の上位層のパラメータにより示されるビットに対応するリソースブロックのセットのうち、最も低い周波数領域に対応するリソースブロックのインデックスは、前記制御リソースセットに関連するサブキャリア間隔の設定μに対するリソースグリッドの基準点を示す第２の上位層のパラメータに基づき与えられる。
【０１９０】
（２）また、本発明の第２の態様は、基地局装置であって、制御リソースセットにおいてＰＤＣＣＨを送信する送信部を備え、前記制御リソースセットを構成するリソースブロックは、第１の上位層のパラメータに基づき与えられ、前記第１の上位層のパラメータにより示されるビットに対応するリソースブロックのセットのうち、最も低い周波数領域に対応するリソースブロックのインデックスは、前記制御リソースセットに関連するサブキャリア間隔の設定μに対するリソースグリッドの基準点を示す第２の上位層のパラメータに基づき与えられる。
【０１９１】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１９２】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１９３】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１９４】
さらに「コンピュータ読み取り可能な記録媒体」とは、インターネット等のネットワー
クや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１９５】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１９６】
また、上述した実施形態における基地局装置３は、ＥＵＴＲＡＮ（Evolved Universal Terrestrial Radio Access Network）および／またはＮＧ−ＲＡＮ（NextGen RAN，NR RAN）であってもよい。また、上述した実施形態における基地局装置３は、ｅＮｏｄｅＢお
よび／またはｇＮＢに対する上位ノードの機能の一部または全部を有してもよい。
【０１９７】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１９８】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１９９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２００】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
６９９８、６９９９、７０００  ポイント
７００１、７００２  キャリア
７００３、７００４  ＢＷＰ
７０１１、７０１２、７０１３、７０１４  オフセット
７１００、７２００  共通リソースブロック
７１０１、７１０２  リソースグリッド
８００１  ＰＤＣＣＨ
【図１】
2020025182.tif 000003
【図２】
2020025182.tif 000004
【図３】
2020025182.tif 000005
【図４】
2020025182.tif 000006
【図５】
2020025182.tif 000007
【図６】
2020025182.tif 000008
【図７】
2020025182.tif 000009
【図８】
2020025182.tif 000010
【図９】
2020025182.tif 000011